(57)【特許請求の範囲】
【請求項１】
電池電源又は外部電源を入力し、所定の制御に基づき電源電圧を出力するレギュレータと、
上記外部電源を接続したことによりワンショットパルスを発生するワンショットパルス生成回路と、
上記レギュレータが出力した電源電圧が所定の閾値に達するとリセット信号を出力するリセット回路と、
上記ワンショットパルス生成回路により発生したワンショットパルスに基づき、上記レギュレータから電源電圧を出力し、上記ワンショットパルス生成回路により発生したワンショットパルスと、上記リセット回路が出力したリセット信号に基づき、上記レギュレータからの電源電圧の出力を保持すると共に、電源オンを不要とする所定の指示に基づき、上記レギュレータからの電源電圧の出力保持を解除する制御部とを
備えたことを特徴とする携帯電話機の外部電源制御方式。
【請求項２】
制御部が、
ワンショットパルス生成回路により発生したワンショットパルスと、リセット回路が出力したリセット信号に基づき、パルスを発生するパルス発生回路と、
上記パルス発生回路により発生したパルスに基づき出力をセットするＲＳラッチと、
上記ワンショットパルス生成回路により発生したワンショットパルス、又は上記ＲＳラッチがセットした出力に基づき、レギュレータから電源電圧を出力させるＯＲ回路と、
電源オンを不要とする所定の指示に基づき、ライトアクセスにより上記ＲＳラッチをリセットするためのパルスを発生するレジスタとを
備えたことを特徴とする請求の範囲第１項記載の携帯電話機の外部電源制御方式。
【請求項３】
入力した電池電源をレギュレータから出力させるための上記電池電源に接続された電源キーを備え、
制御部が、上記電源キーをオンしているときに、リセット回路が出力したリセット信号に基づき、上記レギュレータからの電源電圧の出力を保持する
ことを特徴とする請求の範囲第１項記載の携帯電話機の外部電源制御方式。
【請求項４】
制御部が、
ワンショットパルス生成回路により発生したワンショットパルスと、リセット回路が出力したリセット信号に基づき、第１のパルスを発生する第１のパルス発生回路と、
電源キーをオンしているときに、上記リセット回路が出力したリセット信号に基づき、第２のパルスを発生する第２のパルス発生回路と、
上記第１のパルス発生回路により発生した第１のパルス又は上記第２のパルス発生回路により発生した第２のパルスを入力して出力する第１のＯＲ回路と、
上記第１のＯＲ回路が出力した第１のパルス又は第２のパルスに基づき出力をセットするＲＳラッチと、
上記ワンショットパルス生成回路により発生したワンショットパルス、又は上記ＲＳラッチがセットした出力により、レギュレータから電源電圧を出力させる第２のＯＲ回路と、
電源オンを不要とする所定の指示に基づき、ライトアクセスにより上記ＲＳラッチをリセットするためのパルスを発生するレジスタとを
備えたことを特徴とする請求の範囲第３項記載の携帯電話機の外部電源制御方式。
【請求項５】
レギュレータが出力した電源電圧が所定の閾値より低下し、リセット回路からのリセット信号が出力されなくなった場合に、
制御部が、上記レギュレータからの電源電圧の出力保持を解除する
ことを特徴とする請求の範囲第１項記載の携帯電話機の外部電源制御方式。
【請求項６】
制御部が、
ワンショットパルス生成回路により発生したワンショットパルスと、リセット回路が出力したリセット信号に基づき、パルスを発生するパルス発生回路と、
上記パルス発生回路により発生したパルスに基づき出力をセットするＲＳラッチと、
上記ワンショットパルス生成回路により発生したワンショットパルス、又は上記ＲＳラッチがセットした出力に基づき、レギュレータから電源電圧を出力させる第２のＯＲ回路と、
電源オンを不要とする所定の指示に基づき、ライトアクセスによりパルスを発生するレジスタと、
上記レジスタにより発生したパルスに基づき上記ＲＳラッチをリセットすると共に、レギュレータが出力する電源電圧が所定の閾値より低下し、リセット回路からのリセット信号が出力されなくなった場合に、上記ＲＳラッチをリセットする第３のＯＲ回路とを
備えたことを特徴とする請求の範囲第５項記載の携帯電話機の外部電源制御方式。
【請求項７】
電池電源又は外部電源を入力し、所定の制御に基づき電源電圧を出力するレギュレータと、
上記電池電源又は上記外部電源を接続したことにより、入力された電圧が所定の閾値に達すると第１のリセット信号を出力する第１のリセット回路と、
上記レギュレータが出力した電源電圧が所定の閾値に達すると第２のリセット信号を出力する第２のリセット回路と、
上記電池電源又は上記外部電源を接続したことにより、クロックを発生するクロック発生回路と、
接続した上記外部電源と、上記第１のリセット回路が出力した第１のリセット信号と、上記クロック発生回路により発生したクロックに基づき、上記レギュレータから電源電圧を出力し、接続した上記外部電源と、上記第１のリセット回路が出力した第１のリセット信号と、上記クロック発生回路により発生したクロックと、上記第２のリセット回路が出力した第２のリセット信号に基づき、上記レギュレータからの電源電圧の出力を保持すると共に、電源オンを不要とする所定の指示に基づき、上記レギュレータからの電源電圧の出力保持を解除する制御部とを
備えたことを特徴とする携帯電話機の外部電源制御方式。
【請求項８】
制御部が、
第１のリセット回路が出力した第１のリセット信号により出力をリセットすると共に、クロック発生回路により発生したクロックに基づき、接続した外部電源の論理をシフトする第１のフリップフロップ及び第２のフリップフロップと、
上記第１のフリップフロップの出力及び上記第２のフリップフロップの出力の論理により、ワンショットパルスを発生するＡＮＤ回路と、
上記ＡＮＤ回路により発生したワンショットパルスと、第２のリセット回路が出力した第２のリセット信号に基づき、パルスを発生するパルス発生回路と、
上記パルス発生回路により発生したパルスに基づき出力をセットするＲＳラッチと、
上記ＡＮＤ回路により発生したワンショットパルス、又は上記ＲＳラッチがセットした出力に基づき、レギュレータから電源電圧を出力させるＯＲ回路と、
電源オンを不要とする所定の指示に基づき、ライトアクセスにより上記ＲＳラッチをリセットするためのパルスを発生するレジスタとを
備えたことを特徴とする請求の範囲第７項記載の携帯電話機の外部電源制御方式。
【請求項９】
制御部が、
第１のリセット回路が出力した第１のリセット信号により出力をリセットすると共に、クロック発生回路により発生したクロックに基づき、接続した外部電源の論理をシフトする第１のフリップフロップ、第２のフリップフロップ及び第３のフリップフロップと、
上記第１のフリップフロップの出力、上記第２のフリップフロップの出力及び上記第３のフリップフロップの出力の論理により、ワンショットパルスを発生するＡＮＤ回路と、
上記ＡＮＤ回路により発生したワンショットパルスと、第２のリセット回路が出力した第２のリセット信号に基づき、パルスを発生するパルス発生回路と、
上記パルス発生回路により発生したパルスに基づき出力をセットするＲＳラッチと、
上記ＡＮＤ回路により発生したワンショットパルス、又は上記ＲＳラッチがセットした出力により、レギュレータから電源電圧を出力させるＯＲ回路と、
電源オンを不要とする所定の指示に基づき、ライトアクセスにより上記ＲＳラッチをリセットするためのパルスを発生するレジスタとを
備えたことを特徴とする請求の範囲第７項記載の携帯電話機の外部電源制御方式。
【請求項１０】
入力した電池電源をレギュレータから出力させるための上記電池電源に接続された電源キーを備え、
制御部が、上記電源キーをオンしているときに、第２のリセット回路が出力した第２のリセット信号に基づき、上記レギュレータからの電源電圧の出力を保持する
ことを特徴とする請求の範囲第７項記載の携帯電話機の外部電源制御方式。
【請求項１１】
レギュレータが出力した電源電圧が所定の閾値より低下し、第２のリセット回路からの第２のリセット信号が出力されなくなった場合に、
制御部が、上記レギュレータからの電源電圧の出力保持を解除する
ことを特徴とする請求の範囲第７項記載の携帯電話機の外部電源制御方式。
【発明の詳細な説明】
技術分野
この発明は公衆通信機器として利用される充電機能を内蔵した携帯電話機の外部電源制御方式に関するものである。
背景技術
第１図は充電機能を内蔵した従来の携帯電話機の外部電源制御方式の構成を示すブロック図である。第１図において、１は携帯電話機を動作させるための充電可能な電池パックの電源端子（以下、電池電源と呼ぶ）、２は電池電源１を充電するために使用する外部電源、３は携帯電話機の電源キー、４は外部電源２から電池電源１への充電を行う充電回路、５は電池電源１又は外部電源２の電圧をＶｉｎ端子に入力し、イネーブル端子（ＥＮ端子）の論理により、Ｖｏｕｔ端子から携帯電話機内部への電源電圧を出力するレギュレータ、１０は充電回路４及びレギュレータ５を制御する制御部である。
制御部１０において、１０１は充電回路４を制御する充電制御部、１０２は電源キー３のキーオンを検出するキー検出部、１０３はキー検出部１０２によりキーオンが検出されたときに、レギュレータ５のＥＮ端子をＨｉｇｈにし、レギュレータ５から出力される電源電圧を保持する電源保持部である。
次に動作について説明する。
携帯電話機に電池電源１のみが接続され、外部電源２が接続されていない場合には、電池電源１よりレギュレータ５のＶｉｎ端子へ入力電圧が印加されている。この状態ではレギュレータ５のＥＮ端子はＬｏｗとなっているために、レギュレータ５のＶｏｕｔ端子から携帯電話機内部への電源電圧の出力は行われていない。
携帯電話機の使用者により電源キー３がキーオンされると、電池電源１がレギュレータ５のＥＮ端子に印加されることにより、携帯電話機内部への電源電圧の供給が行われて制御部１０が動作する。制御部１０はキー検出部１０２により電源キー３がキーオンされたことを検出し、図示しないＣＰＵによるレジスタアクセスにより電源保持部１０３の出力をＨｉｇｈに保持、すなわちレギュレータ５のＥＮ端子をＨｉｇｈに保持する。従って、携帯電話機の使用者により電源キー３が開放になっても、電源保持部１０３によりレギュレータ５の出力が保持されているため、携帯電話機の電源電圧の出力がオフすることはない。
携帯電話機の電源電圧をオフする際には、電源キー３がキーオンされたことを検出して、ＣＰＵによるレジスタアクセスにより電源保持部１０３の出力をＬｏｗとすることにより、携帯電話機内部への電源電圧の出力をオフする。
次に、携帯電話機に電池電源１が接続された状態で外部電源２が接続された場合には、レギュレータ５のＶｉｎ端子へ入力電圧が印加され、かつ外部電源２の電圧がレギュレータ５のＥＮ端子に印加されることにより、レギュレータ５のＶｏｕｔ端子から電源電圧が出力し、携帯電話機内部への電源供給が行われて制御部１０が動作する。
制御部１０は電子回路又は図示しないＣＰＵにより電池電源１の状態を監視して、充電制御部１０１を介して充電回路４を制御することにより、外部電源２から電池電源１への充電を行う。携帯電話機に電池電源１が接続されていない状態で外部電源２が接続された場合についても、充電制御を行う必要がないこと以外は全く同様である。
従来の携帯電話機の外部電源制御方式は、以上のように構成されているので、携帯電話機に外部電源２が供給されている間は、レギュレータ５のＶｏｕｔ端子からの電源電圧が常時出力され、例え不要時であっても、携帯電話機の電源をオフすることはできないという課題があった。
このため、携帯電話機を車両内部で使用し、かつ外部電源２として車両のバッテリーを使用した場合に、無駄な電流消費により車両のバッテリー上がりを誘発する可能性があり、また、家庭において、家庭用ＡＣ電源を外部電源２として使用した場合であっても、無駄な電気料金の支払いを強いることになるという課題があった。
この発明は、上記のような課題を解決するためになされたもので、充電動作終了時や、所定時間のタイマーをセットし急速充電完了してから所定時間後に電源をオフするタイマーオーバーフロー時等、制御プログラムにより電源オンが不要と判断されたとき、又は携帯電話機の使用者により電源オンが不要と判断され、キー入力や音声入力等、何らかのアクションが行われたとき等に、外部電源２を接続したままでも電源電圧の出力をオフすることができ、車両のバッテリー上がりの抑制や、家庭用ＡＣ電源の無駄な消費電流の低減が可能な携帯電話機の外部電源制御方式を実現することを目的とする。
発明の開示
この発明に係る携帯電話機の外部電源制御方式は、電池電源又は外部電源を入力し、所定の制御に基づき電源電圧を出力するレギュレータと、上記外部電源を接続したことによりワンショットパルスを発生するワンショットパルス生成回路と、上記レギュレータが出力した電源電圧が所定の閾値に達するとリセット信号を出力するリセット回路と、上記ワンショットパルス生成回路により発生したワンショットパルスに基づき、上記レギュレータから電源電圧を出力し、上記ワンショットパルス生成回路により発生したワンショットパルスと、上記リセット回路が出力したリセット信号に基づき、上記レギュレータからの電源電圧の出力を保持すると共に、電源オンを不要とする所定の指示に基づき、上記レギュレータからの電源電圧の出力保持を解除する制御部とを備えたものである。
このことにより、外部電源を接続したままでも電源電圧の出力をオフすることができ、車両のバッテリー上がりの抑制や、家庭用ＡＣ電源の無駄な消費電流の低減が可能な携帯電話機の外部電源制御方式を実現することができるという効果がある。
この発明に係る携帯電話機の外部電源制御方式は、制御部が、ワンショットパルス生成回路により発生したワンショットパルスと、リセット回路が出力したリセット信号に基づき、パルスを発生するパルス発生回路と、上記パルス発生回路により発生したパルスに基づき出力をセットするＲＳラッチと、上記ワンショットパルス生成回路により発生したワンショットパルス、又は上記ＲＳラッチがセットした出力に基づき、レギュレータから電源電圧を出力させるＯＲ回路と、電源オンを不要とする所定の指示に基づき、ライトアクセスにより上記ＲＳラッチをリセットするためのパルスを発生するレジスタとを備えたものである。
このことにより、外部電源を接続したままでも電源電圧の出力をオフすることができ、車両のバッテリー上がりの抑制や、家庭用ＡＣ電源の無駄な消費電流の低減が可能な携帯電話機の外部電源制御方式を実現することができるという効果がある。
この発明に係る携帯電話機の外部電源制御方式は、入力した電池電源をレギュレータから出力させるための上記電池電源に接続された電源キーを備え、制御部が、上記電源キーをオンしているときに、リセット回路が出力したリセット信号に基づき、上記レギュレータからの電源電圧の出力を保持するものである。
このことにより、電源キーのキーオン時の電源電圧の出力保持動作を、ＣＰＵによるレジスタアクセスなしに電子回路のみで自動的に実施できるという効果がある。
この発明に係る携帯電話機の外部電源制御方式は、制御部が、ワンショットパルス生成回路により発生したワンショットパルスと、リセット回路が出力したリセット信号に基づき、第１のパルスを発生する第１のパルス発生回路と、電源キーをオンしているときに、上記リセット回路が出力したリセット信号に基づき、第２のパルスを発生する第２のパルス発生回路と、上記第１のパルス発生回路により発生した第１のパルス又は上記第２のパルス発生回路により発生した第２のパルスを入力して出力する第１のＯＲ回路と、上記第１のＯＲ回路が出力した第１のパルス又は第２のパルスに基づき出力をセットするＲＳラッチと、上記ワンショットパルス生成回路により発生したワンショットパルス、又は上記ＲＳラッチがセットした出力により、レギュレータから電源電圧を出力させる第２のＯＲ回路と、電源オンを不要とする所定の指示に基づき、ライトアクセスにより上記ＲＳラッチをリセットするためのパルスを発生するレジスタとを備えたものである。
このことにより、電源キーのキーオン時の電源電圧の出力保持動作を、ＣＰＵによるレジスタアクセスなしに電子回路のみで自動的に実施できるという効果がある。
この発明に係る携帯電話機の外部電源制御方式は、レギュレータが出力した電源電圧が所定の閾値より低下し、リセット回路からのリセット信号が出力されなくなった場合に、制御部が、上記レギュレータからの電源電圧の出力保持を解除するものである。
このことにより、携帯電話機が電池電源のみで動作し、かつ電池電圧が低下した際には、自動的に携帯電話機の電源をオフすることができるという効果がある。
この発明に係る携帯電話機の外部電源制御方式は、制御部が、ワンショットパルス生成回路により発生したワンショットパルスと、リセット回路が出力したリセット信号に基づき、パルスを発生するパルス発生回路と、上記パルス発生回路により発生したパルスに基づき出力をセットするＲＳラッチと、上記ワンショットパルス生成回路により発生したワンショットパルス、又は上記ＲＳラッチがセットした出力に基づき、レギュレータから電源電圧を出力させる第２のＯＲ回路と、電源オンを不要とする所定の指示に基づき、ライトアクセスによりパルスを発生するレジスタと、上記レジスタにより発生したパルスに基づき上記ＲＳラッチをリセットすると共に、レギュレータが出力する電源電圧が所定の閾値より低下し、リセット回路からのリセット信号が出力されなくなった場合に、上記ＲＳラッチをリセットする第３のＯＲ回路とを備えたものである。
このことにより、携帯電話機が電池電源のみで動作し、かつ電池電圧が低下した際には、自動的に携帯電話機の電源をオフすることができるという効果がある。
この発明に係る携帯電話機の外部電源制御方式は、電池電源又は外部電源を入力し、所定の制御に基づき電源電圧を出力するレギュレータと、上記電池電源又は上記外部電源を接続したことにより、入力された電圧が所定の閾値に達すると第１のリセット信号を出力する第１のリセット回路と、上記レギュレータが出力した電源電圧が所定の閾値に達すると第２のリセット信号を出力する第２のリセット回路と、上記電池電源又は上記外部電源を接続したことにより、クロックを発生するクロック発生回路と、接続した上記外部電源と、上記第１のリセット回路が出力した第１のリセット信号と、上記クロック発生回路により発生したクロックに基づき、上記レギュレータから電源電圧を出力し、接続した上記外部電源と、上記第１のリセット回路が出力した第１のリセット信号と、上記クロック発生回路により発生したクロックと、上記第２のリセット回路が出力した第２のリセット信号に基づき、上記レギュレータからの電源電圧の出力を保持すると共に、電源オンを不要とする所定の指示に基づき、上記レギュレータからの電源電圧の出力保持を解除する制御部とを備えたものである。
このことにより、外部電源を接続したままでも電源電圧の出力をオフすることができ、車両のバッテリー上がりの抑制や、家庭用ＡＣ電源の無駄な消費電流の低減が可能な携帯電話機の外部電源制御方式を実現することができるという効果がある。
この発明に係る携帯電話機の外部電源制御方式は、制御部が、第１のリセット回路が出力した第１のリセット信号により出力をリセットすると共に、クロック発生回路により発生したクロックに基づき、接続した外部電源の論理をシフトする第１のフリップフロップ及び第２のフリップフロップと、上記第１のフリップフロップの出力及び上記第２のフリップフロップの出力の論理により、ワンショットパルスを発生するＡＮＤ回路と、上記ＡＮＤ回路により発生したワンショットパルスと、第２のリセット回路が出力した第２のリセット信号に基づき、パルスを発生するパルス発生回路と、上記パルス発生回路により発生したパルスに基づき出力をセットするＲＳラッチと、上記ＡＮＤ回路により発生したワンショットパルス、又は上記ＲＳラッチがセットした出力に基づき、レギュレータから電源電圧を出力させるＯＲ回路と、電源オンを不要とする所定の指示に基づき、ライトアクセスにより上記ＲＳラッチをリセットするためのパルスを発生するレジスタとを備えたものである。
このことにより、外部電源を接続したままでも電源電圧の出力をオフすることができ、車両のバッテリー上がりの抑制や、家庭用ＡＣ電源の無駄な消費電流の低減が可能な携帯電話機の外部電源制御方式を実現することができるという効果がある。
この発明に係る携帯電話機の外部電源制御方式は、制御部が、第１のリセット回路が出力した第１のリセット信号により出力をリセットすると共に、クロック発生回路により発生したクロックに基づき、接続した外部電源の論理をシフトする第１のフリップフロップ、第２のフリップフロップ及び第３のフリップフロップと、上記第１のフリップフロップの出力、上記第２のフリップフロップの出力及び上記第３のフリップフロップの出力の論理により、ワンショットパルスを発生するＡＮＤ回路と、上記ＡＮＤ回路により発生したワンショットパルスと、第２のリセット回路が出力した第２のリセット信号に基づき、パルスを発生するパルス発生回路と、上記パルス発生回路により発生したパルスに基づき出力をセットするＲＳラッチと、上記ＡＮＤ回路により発生したワンショットパルス、又は上記ＲＳラッチがセットした出力により、レギュレータから電源電圧を出力させるＯＲ回路と、電源オンを不要とする所定の指示に基づき、ライトアクセスにより上記ＲＳラッチをリセットするためのパルスを発生するレジスタとを備えたものである。
このことにより、外部電源を接続時のチャタリングを吸収することができるという効果がある。
この発明に係る携帯電話機の外部電源制御方式は、入力した電池電源をレギュレータから出力させるための上記電池電源に接続された電源キーを備え、制御部が、上記電源キーをオンしているときに、第２のリセット回路が出力した第２のリセット信号に基づき、上記レギュレータからの電源電圧の出力を保持するものである。
このことにより、電源キーのキーオン時の電源電圧の出力保持動作を、ＣＰＵによるレジスタアクセスなしに電子回路のみで自動的に実施できるという効果がある。
この発明に係る携帯電話機の外部電源制御方式は、レギュレータが出力した電源電圧が所定の閾値より低下し、第２のリセット回路からの第２のリセット信号が出力されなくなった場合に、制御部が、上記レギュレータからの電源電圧の出力保持を解除するものである。
このことにより、携帯電話機が電池電源のみで動作し、かつ電池電圧が低下した際には、自動的に携帯電話機の電源をオフすることができるという効果がある。
発明を実施するための最良の形態
以下、この発明をより詳細に説明するために、この発明を実施するための最良の形態について、添付の図面に従って説明する。
実施の形態１．
第２図はこの発明の実施の形態１による携帯電話機の外部電源制御方式の構成を示すブロック図である。第２図において、電池電源１，外部電源２，電源キー３，充電回路４，レギュレータ５，充電制御部１０１，キー検出部１０２，電源保持部１０３は、従来の第１図に示すものと同等である。
６は外部電源２が携帯電話機に接続されたときに制御部１０に対してワンショットパルスを発生するワンショットパルス生成回路、７はレギュレータ５からの電源電圧の出力がある閾値に達するとＨｉｇｈのリセット信号（第２のリセット信号）を発生するリセット回路（第２のリセット回路）である。なお、リセット回路７については、リセットＩＣにより構成する他、制御部１０の入力バッファ（図示せず）をシュミットトリガとし、パワーオンリセットを行う構成としても良い。
制御部１０において、１０４はワンショットパルス生成回路６からのワンショットパルスがＨｉｇｈの期間中に、リセット回路７からのリセット信号の上りエッジを検出するとパルス（第１のパルス）を出力するパルス発生回路（第１のパルス発生回路）、１０５はパルス発生回路１０４からのパルスにより出力をＨｉｇｈにセットするＲＳラッチ、１０６は制御部１０内の図示しないＣＰＵがライトアクセスすることによりＲＳラッチ１０５をリセットするためのパルスを発生するレジスタ、１０７はワンショットパルス生成回路６からのワンショットパルス、又はＲＳラッチ１０５からのＨｉｇｈ信号により、Ｈｉｇｈ信号を出力するＯＲ回路（第２のＯＲ回路）である。
次に動作について説明する。
第３図はこの発明の実施の形態１による携帯電話機の外部電源制御方式の動作を示すタイミングチャートである。携帯電話機に電池電源１が接続された状態で、外部電源２が接続された場合に、ワンショットパルス生成回路６により、外部電源２が接続されたことによるＨｉｇｈ信号の外部電源ワンショットパルスが生成される。このワンショットパルスのＨｉｇｈ期間にレギュレータ５のＶｏｕｔ端子から電源電圧が出力され、ある閾値に達すると、リセット回路７によりＨｉｇｈのリセット信号が生成されて、パルス発生回路１０４からリセット解除パルスが発生する。このリセット解除パルスにより、ＲＳラッチ１０５の出力がＨｉｇｈにセットされ、ワンショットパルス生成回路６からの外部電源ワンショットパルスがＬｏｗとなっても、レギュレータ５のＥＮ端子がＨｉｇｈに保持されて、Ｖｏｕｔ端子からの電源電圧の出力が保持される。
次に外部電源２を接続したままで、電源電圧をオフとする場合については、ワンショットパルス生成回路６からの外部電源ワンショットパルスは既にＬｏｗとなっているため、充電動作終了時やタイマーオーバーフロー時等のように、制御プログラムにより電源オンが不要と判断されたとき、又は携帯電話機の使用者により電源オンが不要と判断され、キー入力や音声入力等、何らかのアクションが行われたとき等に、制御部１０内の図示しないＣＰＵがレジスタ１０６にライトアクセスすることで発生するレジスタパルスによりＲＳラッチ１０５の出力をクリアするだけで、レギュレータ５のＥＮ端子がＬｏｗとなり電源電圧の出力がオフとなる。
以上、携帯電話機に電池電源１が接続された状態で外部電源２が接続された場合について説明したが、電池電源１がない状態で外部電源２が接続された場合についても全く同様である。
以上のように、この実施の形態１によれば、外部電源２を接続したままでも電源電圧の出力をオフすることができ、車両のバッテリー上がりの抑制や、家庭用ＡＣ電源の無駄な消費電流の低減が可能な携帯電話機の外部電源制御方式を実現することができるという効果が得られる。
実施の形態２．
第４図はこの発明の実施の形態２による携帯電話機の外部電源制御方式の構成を示すブロック図であり、実施の形態１の第２図と同等の構成については、同符号を付してその説明を省略する。第４図において、８は携帯電話機に電池電源１又は外部電源２が接続されることによりクロックを発生するクロック発生回路であり、９は携帯電話機に電池電源１又は外部電源２が接続されることにより入力される電圧がある閾値に達するとＨｉｇｈのリセット信号（第１のリセット信号）を発生するリセット回路（第１のリセット回路）である。なお、リセット回路９については、リセットＩＣにより構成する他、制御部１０の入力バッファ（図示せず）をシュミットトリガとし、パワーオンリセットを行う構成としても良い。
制御部１０において、１０８，１０９は外部電源２が携帯電話機に接続されたときにクロック発生回路８からのクロックにより外部電源２の論理をシフトするフリップフロップ（第１のフリップフロップ、第２のフリップフロップ）であり、この２個のフリップフロップ１０８，１０９によりシフトレジスタを構成している。１１０は各フリップフロップ１０８，１０９の出力の論理によりワンショットパルスを発生するＡＮＤ回路である。
なお、クロック発生回路８には、フリップフロップ１０８，１０９の適切なサンプリング周期を得るための分周器（図示せず）も含まれている。
次に動作について説明する。
第５図はこの発明の実施の形態２による携帯電話機の外部電源制御方式の動作を示すタイミングチャートである。まず、携帯電話機に電池電源１が接続されるとリセット回路９が動作し、リセット信号によりフリップフロップ１０８，１０９の出力がリセットされる。また、この時点でクロック発生回路８によりクロックも供給されている。
次に外部電源２が接続されると、フリップフロップ１０８に入力された外部電源２の接続信号は、クロック発生回路８からのクロックによりサンプリングされ、各フリップフロップ１０８，１０９の出力が左から順にＨｉｇｈ，Ｌｏｗとなった時点で、ＡＮＤ回路１１０の出力がＨｉｇｈとなる。この後のレギュレータ５からの電源電圧の出力が保持されるまでの動作の流れは、実施の形態１と同様である。
次のクロック発生回路８からのクロックによるサンプリングで、各フリップフロップ１０８，１０９の出力がＨｉｇｈ，Ｈｉｇｈとなり、ＡＮＤ回路１７の出力はＬｏｗとなるため、実施の形態１と同様に、制御部１０内の図示しないＣＰＵがレジスタ１０６にライトアクセスすることにより、外部電源２を接続したままでの電源電圧の出力オフが可能である。
以上、携帯電話機に電池電源１が接続された状態で外部電源２が接続された場合について説明したが、電池電源１が接続されない状態で外部電源２が接続された場合についても全く同様である。
以上のように、この実施の形態２によれば、外部電源２を接続したままでも電源電圧の出力をオフすることができ、車両のバッテリー上がりの抑制や、家庭用ＡＣ電源の無駄な消費電流の低減が可能な携帯電話機の外部電源制御方式を実現することができるという効果が得られる。
実施の形態３．
第６図はこの発明の実施の形態３による携帯電話機の外部電源制御方式の構成を示すブロック図であり、実施の形態２の第４図と同等部分については、同符号を付してその説明を省略する。第６図の制御部１０において、１１１は、フリップフロップ１０８，１０９と共に、外部電源２が携帯電話機に接続されたときにクロック発生回路８からのクロックにより外部電源２の論理をシフトするフリップフロップ（第３のフリップフロップ）であり、この３個のフリップフロップ１０８，１０９，１１１によりシフトレジスタを構成している。１１２は各フリップフロップ１０８，１０９，１１１の出力の論理によりワンショットパルスを発生するＡＮＤ回路である。
なお、この実施の形態では、外部電源２を接続したときのチャタリングを吸収するために、フリップフロップが３段となっている場合について説明するが、チャタリング吸収能力強化のために、フリップフロップを４段以上で構成したシフトレジスタを用いても良い。
次に動作について説明する。
第７図はこの発明の実施の形態３による携帯電話機の外部電源制御方式の動作を示すタイミングチャートである。この実施の形態では、実施の形態２のように、各フリップフロップ１０８，１０９の出力が左から順にＨｉｇｈ，Ｌｏｗとなった時点で、すぐに電源電圧の出力をオンとするのではなく、３段のフリップフロップ１０８，１０９，１１１の出力が左から順にＨｉｇｈ，Ｈｉｇｈ，Ｌｏｗとなるまで、即ち２回連続してクロック発生回路８からのクロックを検出するまで、電源電圧の出力のオンを延長することにより、外部電源２を接続時のチャタリングを吸収することができる。その他の動作は実施の形態２と同様である。
以上のように、この実施の形態３によれば、外部電源２を接続したままでも電源電圧の出力をオフすることができ、車両のバッテリー上がりの抑制や、家庭用ＡＣ電源の無駄な消費電流の低減が可能な携帯電話機の外部電源制御方式を実現することができると共に、外部電源２を接続時のチャタリングを吸収することができるという効果が得られる。
実施の形態４．
第８図はこの発明の実施の形態４による携帯電話機の外部電源制御方式の構成を示すブロック図であり、実施の形態１の第２図と同等部分については、同符号を付してその説明を省略する。第８図の制御部１０において、１１３は、電源キー３のキーオンの期間中に、リセット回路７からのリセット信号の上りエッジを検出するとパルス（第２のパルス）を出力するパルス発生回路（第２のパルス発生回路）、１１４はパルス発生回路１０４の出力又はパルス発生回路１１３の出力を入力しＲＳラッチ１０５に出力するＯＲ回路（第１のＯＲ回路）である。
なお、パルス発生回路１１３の出力タイミングについては、リセット回路７からのリセット信号の入力直後でも良いし、ごく短時間の電源キー３のキーオンにより携帯電話機が電源オンするのを防ぐために、ある一定の遅延時間を持たせても良い。
また、この実施の形態では、実施の形態１の第２図にパルス発生回路１１３，ＯＲ回路１１４を付加しているが、実施の形態２の第４図又は実施の形態３の第６図にパルス発生回路１１３，ＯＲ回路１１４を付加しても同様である。
このような構成とすれば、電源キー３のキーオン時の電源電圧出力の保持動作を、外部電源２の接続時の動作と同様に、ＣＰＵによるレジスタアクセスなしに電子回路のみで自動的に実施でき、かつ携帯電話機の電源オフを行うためのレジスタをレジスタ１０６のみに統一化できる。
その他の外部電源２を接続したときに電源電圧の出力を保持する動作や、外部電源２を接続したまま電源電圧の出力をオフする動作については、実施の形態１と同様である。
以上のように、この実施の形態４によれば、外部電源２を接続したままでも電源オフができ、車両のバッテリー上がりの抑制や、家庭用ＡＣ電源の無駄な消費電流の低減が可能な携帯電話機の外部電源制御方式を実現することができると共に、電源キー３のキーオン時の電源電圧の出力保持動作を、ＣＰＵによるレジスタアクセスなしに電子回路のみで自動的に実施できるという効果が得られる。
実施の形態５．
第９図はこの発明の実施の形態５による携帯電話機の外部電源制御方式の構成を示すブロック図であり、実施の形態１の第２図と同等部分については、同符号を付してその説明を省略する。第９図の制御部１０において、１１５はレジスタ１０６からのレジスタライトによる信号又はリセット回路７からのリセット信号を入力し、ＲＳラッチ１０５をリセットするための信号を出力するＯＲ回路（第３のＯＲ回路）である。
この実施の形態では、実施の形態１の第２図にＯＲ回路１１５を付加しているが、実施の形態２の第４図、実施の形態３の第６図にＯＲ回路１１５を付加しても同様である。
このような構成とすれば、携帯電話機が電池電源１のみで動作し、かつ電池電圧が低下した際には、リセット回路７の出力がＬｏｗとなり、ＲＳラッチ１０５の出力がクリアされるため、ＣＰＵによるレジスタ１０６へのライトアクセスなしでも自動的に携帯電話機の電源電圧の出力をオフすることが可能である。
その他の外部電源２を接続したときに電源電圧の出力を保持する動作や、外部電源２を接続したまま電源電圧の出力をオフする動作については、実施の形態１と同様である。
以上のように、この実施の形態５によれば、外部電源２を接続したままでも電源電圧の出力をオフすることができ、車両のバッテリー上がりの抑制や、家庭用ＡＣ電源の無駄な消費電流の低減が可能な携帯電話機の外部電源制御方式を実現することができると共に、携帯電話機が電池電源１のみで動作し、かつ電池電圧が低下した際には、自動的に携帯電話機の電源をオフすることができるという効果が得られる。
産業上の利用可能性
以上のように、この発明に係る携帯電話機の外部電源制御方式は、外部電源２を接続したままでも、携帯電話機への電源電圧の出力をオフするのに適している。
【図面の簡単な説明】
第１図は従来の携帯電話機の外部電源制御方式の構成を示すブロック図である。
第２図はこの発明の実施の形態１による携帯電話機の外部電源制御方式の構成を示すブロック図である。
第３図はこの発明の実施の形態１による携帯電話機の外部電源制御方式の動作を示すタイミングチャートである。
第４図はこの発明の実施の形態２による携帯電話機の外部電源制御方式の構成を示すブロック図である。
第５図はこの発明の実施の形態２による携帯電話機の外部電源制御方式の動作を示すタイミングチャートである。
第６図はこの発明の実施の形態３による携帯電話機の外部電源制御方式の構成を示すブロック図である。
第７図はこの発明の実施の形態３による携帯電話機の外部電源制御方式の動作を示すタイミングチャートである。
第８図はこの発明の実施の形態４による携帯電話機の外部電源制御方式の構成を示すブロック図である。
第９図はこの発明の実施の形態５による携帯電話機の外部電源制御方式の構成を示すブロック図である。
【図１】
0003779265.tif 000002
【図２】
0003779265.tif 000003
【図３】
0003779265.tif 000004
【図４】
0003779265.tif 000005
0003779265.tif 000006
【図６】
0003779265.tif 000007
【図７】
0003779265.tif 000008
【図８】
0003779265.tif 000009
【図９】
0003779265.tif 000010